(57)【特許請求の範囲】
【請求項１】
遊技盤の裏面において、複数種類の基板間を複数の接続線を用いて接続する配線接続構造を有する遊技機であって、
前記遊技盤の表面に設けられ、前記遊技盤の裏側からランプで照明される第１の照明対象部と、
前記遊技盤の表面に設けられ、前記遊技盤の裏側からランプで照明される第２の照明対象部と、
前記遊技盤の表面に設けられた複数の入賞口と、
遊技機を制御する制御回路を有する制御基板と、
前記遊技盤の裏面に組み付けられた樹脂部であって、
前記第１の照明対象部に対応する位置に配置された第１の基板取付部と、
前記第２の照明対象部に対応する位置に配置された第２の基板取付部と、
第３の基板取付部と、
前記複数の入賞口に入賞した遊技球を下方に誘導するための遊技球誘導路と、
を有する樹脂部と、
前記第１の基板取付部と前記第２の基板取付部の両方に取り付け可能な共用の基板であり、ランプと、レセプタクルを有するランプ基板と、
前記第３の基板取付部に取り付けられ、前記制御基板と前記ランプ基板との電気的な接続を中継するための中継基板と、
前記遊技盤の裏面に開閉可能に配設され、閉状態において前記樹脂部を覆うカバー部材と、
前記制御基板を収容し、第１の面と前記第１の面と反対側の第２の面とを有する制御基板収容部材であって、前記カバー部材の外側面にブラケットを介して取り付けられ、前記第１の面が前記カバー部材の外側面と対向すると共に、前記第２の面が外側に露出する設置位置と、前記第１の面が前記カバー部材の外側面から離れるように前記制御基板収容部材が動いて前記第１の面が外に露出する開放位置とに切換可能な制御基板収納部材と、
を備え、
同一の前記ランプ基板が、前記第１の基板取付部と前記第２の基板取付部にそれぞれ取り付けられ、
前記中継基板と前記第１の基板取付部に取り付けられた前記ランプ基板とを接続する第１の接続線は、前記中継基板の対応するレセプタクルに接続されるコネクタプラグと、前記第１の基板取付部に取り付けられた前記ランプ基板のレセプタクルに接続されるコネクタプラグとが、第１の色に着色され、
前記中継基板と前記第２の基板取付部に取り付けられた前記ランプ基板とを接続する第２の接続線は、前記中継基板の対応するレセプタクルに接続されるコネクタプラグと、前記第１の基板取付部に取り付けられた前記ランプ基板のレセプタクルに接続されるコネクタプラグとが、前記第１の色とは異なる第２の色に着色され、
前記中継基板において、前記第１の接続線に対応するレセプタクルと前記第２の接続線に対応するレセプタクルとは、接続されるべきコネクタプラグの色によって識別可能に構成され、
前記樹脂部には、前記第１の基板取付部に隣接する位置に前記第１の色を文字で表示する第１の色表示部が形成されると共に、前記第２の基板取付部に隣接する位置に前記第２の色を文字で表示する第２の色表示部が形成され、
前記中継基板と前記制御基板とは、前記中継基板から延出するとともに端末部にコネクタプラグを有する第３の接続線を介して接続され、
前記制御基板は、前記第３の接続線のコネクタプラグが接続されるレセプタクルを有し、
前記制御基板の前記レセプタクルは、前記制御基板収納部材の前記第１の面に配置されていることによって、前記制御基板収容部材が前記設置位置にある場合には外部に露出せず、前記制御基板収容部材が前記開放位置にある場合には外部に露出し、
前記制御基板収納部材は、前記カバー部材の内側からのみ操作可能な固定部材によって、前記設置位置に固定される、遊技機。
【請求項２】
請求項１に記載の遊技機であって、さらに、
前記遊技盤の略中央部に配置された表示装置を備える、遊技機。
【請求項３】
請求項１に記載の遊技機であって、
前記第１の色表示部と、前記第２の色表示部は、前記樹脂部の成形と同時に凹凸によって形成され、
前記樹脂部と、前記第１の基板取付部に取り付けられる前記ランプ基板と、前記第２の基板取付部に取り付けられる前記ランプ基板とは、一つのユニットを構成し、
当該ユニットが、前記遊技盤の裏面の一つの所定位置に組み付けられる、遊技機。
【発明の詳細な説明】
【技術分野】
【０００１】
この発明は、特定位置から延出された複数の接続線が複数の回路基板にそれぞれ接続される配線接続構造を備えた遊技機に関する。
【背景技術】
【０００２】
従来、遊技機としてのパチンコ機において、例えば、中継基板と、ランプ等を有する複数の回路基板とを電気的に接続するために、複数の接続線が用いられる。複数の接続線の両端末部にはコネクタプラグがそれぞれ設けられる。そして、中継基板の板面上に配設された複数のレセプタクルに対し、複数の接続線の各一方のコネクタプラグが差し込まれ、前記中継基板から複数の接続線が延出される。一方、複数の回路基板には、複数の接続線の他方の端末部のコネクタプラグに対応するレセプタクルがそれぞれ設けられている。そして、前記中継基板から延出された複数の接続線のコネクタプラグが複数の回路基板のレセプタクルに差し込まれることで、中継基板と複数の回路基板とが電気的に接続されるようになっている。
【０００３】
また、前記中継基板からそれぞれ延出された複数の接続線のコネクタプラグが所要とする回路基板のレセプタクルに誤りなく差し込んで接続するために、複数の接続線のコネクタプラグは、例えば、黄、黒、青、赤等の異なる色に色分けされて識別されている。また、前記複数の接続線のコネクタプラグの識別に対応して、複数の回路基板のレセプタクルにおいても、黄、黒、青、赤等の異なる色に色分けされて識別されている。そして、複数の接続線のコネクタプラグの色と、複数の回路基板のレセプタクルの色とが一致するように複数の接続線のコネクタプラグが、複数の回路基板のレセプタクルにそれぞれ差し込まれることで、中継基板と、複数の回路基板とが誤りなく正確に接続されるようになっていた。
【発明の概要】
【発明が解決しようとする課題】
【０００４】
ところで、前記したように、複数の接続線のコネクタプラグの識別に対応して、複数の回路基板のレセプタクルが、黄、黒、青、赤等の異なる色に識別される配線接続構造においては、回路基板の形状、仕様等が全く同一であるにも係わらず、レセプタクルの色のみが異なる回路基板をそれぞれ製作し、これら識別された回路基板をそれぞれ個別に在庫管理する必要性があった。このため、回路基板の識別数が多くなり、これら回路基板の製作費や在庫管理に要するコスト等が高くなる、という問題点があった。
【０００５】
この発明の目的は、前記従来の問題点に鑑み、回路基板のレセプタクルを色分け等の識別手段によって識別する必要性を解消でき、形状、仕様等が全く同一である回路基板においては共通の部品として製作・管理することを可能とすることで、回路基板の製作費や在庫管理に要するコストを低減することができる遊技機を提供することである。
【課題を解決するための手段】
【０００６】
態様１の発明に係る遊技機は、遊技盤の裏面において、複数種類の基板間を複数の接続線を用いて接続する配線接続構造を有する遊技機であって、
前記遊技盤の表面に設けられ、前記遊技盤の裏側からランプで照明される第１の照明対象部と、
前記遊技盤の表面に設けられ、前記遊技盤の裏側からランプで照明される第１の照明対象部と、
前記遊技盤の表面に設けられた複数の入賞口と、
遊技機を制御する制御回路を有する制御基板と、
前記遊技盤の裏面に組み付けられた樹脂部材であって、
前記第１の照明対象部に対応する位置に配置された第１の基板取付部と、
前記第２の照明対象部に対応する位置に配置された第２の基板取付部と、
第３の基板取付部と、
前記複数の入賞口に入賞した遊技球を下方に誘導するための遊技球誘導路と、
を有する樹脂部材と、
前記第１の基板取付部と前記第２の基板取付部の両方に取り付け可能な共用の基板であり、ランプと、レセプタクルを有するランプ基板と、
前記第３の基板取付部に取り付けられ、前記制御基板と前記ランプ基板との電気的な接続を中継するための中継基板と、
前記遊技盤の裏面に開閉可能に配設され、閉状態において前記樹脂部を覆うカバー部材と、
前記制御基板を収容し、第１の面と前記第１の面と反対側の第２の面とを有する制御基板収容部材であって、前記カバー部材の外側面にブラケットを介して取り付けられ、前記第１の面が前記カバー部材の外側面と対向すると共に、前記第２の面が外側に露出する設置位置と、前記第１の面が前記カバー部材の外側面から離れるように前記制御基板収容部材が動いて前記第１の面が外に露出する開放位置とに切換可能な制御基板収納部材と、
を備え、
同一の前記ランプ基板が、前記第１の基板取付部と前記第２の基板取付部にそれぞれ取り付けられ、
前記中継基板と前記第１の基板取付部に取り付けられた前記ランプ基板とを接続する第１の接続線は、前記中継基板の対応するレセプタクルに接続されるコネクタプラグと、前記第１の基板取付部に取り付けられた前記ランプ基板のレセプタクルに接続されるコネクタプラグとが、第１の色に着色され、
前記中継基板と前記第２の基板取付部に取り付けられた前記ランプ基板とを接続する第２の接続線は、前記中継基板の対応するレセプタクルに接続されるコネクタプラグと、前記第１の基板取付部に取り付けられた前記ランプ基板のレセプタクルに接続されるコネクタプラグとが、前記第１の色とは異なる第２の色に着色され、
前記中継基板において、前記第１の接続線に対応するレセプタクルと前記第２の接続線に対応するレセプタクルとは、接続されるべきコネクタプラグの色によって識別可能に構成され、
前記樹脂部には、前記第１の基板取付部に隣接する位置に前記第１の色を文字で表示する第１の色表示部が形成されると共に、前記第２の基板取付部に隣接する位置に前記第２の色を文字で表示する第２の色表示部が形成され、
前記中継基板と前記制御基板とは、前記中継基板から延出するとともに端末部にコネクタプラグを有する第３の接続線を介して接続され、
前記制御基板は、前記第３の接続線のコネクタプラグが接続されるレセプタクルを有し、
前記制御基板の前記レセプタクルは、前記制御基板収納部材の前記第１の面に配置されていることによって、前記制御基板収容部材が前記設置位置にある場合には外部に露出せず、前記制御基板収容部材が前記開放位置にある場合には外部に露出し、
前記制御基板収納部材は、前記カバー部材の内側からのみ操作可能な固定部材によって、前記設置位置に固定されることを特徴とする。
【０００７】
こうすれば、中継基板と複数のランプ基板とを複数の接続線を用いて接続する際、接続線の中継基板側の各コネクタプラグと、中継基板の各レセプタクルとを、各コネクタプラグの色に従って容易に接続することができる。また、接続線のランプ基板側の各コネクタプラグと、ランプ基板の各レセプタクルとを、ランプ基板の取付部に隣接して配置された色表示部とコネクタプラグの色とを一致させることで容易に接続することができる。これによって、複数のランプ基板に同一の共用部品を用いるにも関わらず、中継基板とランプ基板とを誤りなく容易にかつ正確に接続することができる。この結果、ランプ基板の製作費や在庫管理に要するコストの抑制と、誤接続の抑制とを両立することができる。さらに、中継基板から延出された接続線の端末部のコネクタプラグが制御基板のレセプタクルから不測に外され、そのレセプタクルに対し不正制御基板等が接続されるという不正行為を抑制することができる。
【図面の簡単な説明】
【０００９】
【図１】この発明の実施の形態に係る裏セット機構及び裏カバー体を取り外した状態でかつ遊技盤の裏面に上誘導樋ユニット及び下誘導樋ユニットを装着した状態を示すパチンコ機の裏面図である。
【図２】同じく裏セット機構及び裏カバー体が装着された状態のパチンコ機全体を示す裏面図である。
【図３】同じくパチンコ機全体を示す側面図である。
【図４】同じく遊技盤を示す正面図である。
【図５】同じく図４のＶ−Ｖ線に基づく遊技盤の側断面図である。
【図６】同じく上誘導樋ユニットと下誘導樋ユニットとの組み付け関係を示す裏面図である。
【図７】同じく下誘導樋ユニットの誘導樋を示す斜視図である。
【図８】同じく下誘導樋ユニットの誘導樋を示す裏面図である。
【図９】同じく図８のＩＸ−ＩＸ線に基づく下誘導樋ユニットの誘導樋を示す側断面である。
【図１０】同じく下誘導樋ユニットの誘導樋の第１の取付座部に対し大の中継基板を装着する状態を示す断面図である。
【図１１】同じく第１の取付座部に対し大の中継基板を装着した状態を示す裏面図である。
【図１２】同じく下誘導樋ユニットの誘導樋の後壁部を適宜に取り除いてアクチュエータを示す組み付けた状態を示す説明図である。
【図１３】同じく下誘導樋ユニットの誘導樋の中央球誘導路をなす傾斜通路を示す説明図である。
【図１４】同じく図１３のＸＩＶ−ＸＩＶ線に基づく側断面である。
【図１５】同じく下誘導樋ユニットの誘導樋のランプ収納室に反射鏡部材が組み付けられた状態を示す誘導樋の部分裏面図である。
【図１６】同じく図１５のＸＶＩ−ＸＶＩ線に基づくランプ収納室と反射鏡部材との組み付け関係を示す断面図である。
【図１７】同じく誘導樋にカバーフックが装着された状態を示す断面図である。
【図１８】同じく上誘導樋ユニットの誘導樋にカバーフックが装着される前の誘導樋とカバーフックとが分離された状態を示す斜視図である。
【図１９】同じく誘導樋に対し圧入によってカバーフックが装着された状態を示す断面図である。
【図２０】同じく誘導樋に対しカバーフックが熱カシメによって装着される前の状態を示す断面図である。
【図２１】同じく誘導樋に対しカバーフックが熱カシメによって装着された状態を示す断面図である。
【図２２】同じく誘導樋に対しカバーフックが接着剤によって装着された状態を示す断面図である。
【図２３】同じく誘導樋に対しカバーフックがネジによって装着された状態を示す断面図である。
【図２４】同じく誘導樋の裏面側に対する第１、第２の取付座部が相互に重ね合わせ部分をもって配設された実施態様をそれぞれ示す説明図である。
【図２５】同じく回路基板の実施態様をそれぞれ示す説明図である。
【図２６】同じく遊技盤の裏面側に裏カバー体が開閉可能に装着され、その裏カバー体の裏面に収納ボックスが装着された状態を示す断面図である。
【図２７】同じく裏カバー体の裏面に収納ボックスが装着された状態を示す側面図である。
【図２８】同じく裏カバー体の裏面に収納ボックスが略１８０度反転された状態を示す側面図である。
【発明を実施するための形態】
【００１０】
この発明の実施の形態を図面にしたがって説明する。
パチンコ機全体を裏面から表した図２及び側面から表した図３において、パチンコ機１の木枠２の前側には、前枠３が開閉可能に装着されている。
図１に示すように、前枠３の裏面には、その開口部の周縁部においてベース枠４が組み付けられている。
ベース枠４の枠内には遊技盤２０が着脱可能に嵌込まれている。
遊技盤２０の裏面の中央部には、後述する上誘導樋ユニット５０及び下誘導樋ユニット６０等が組み付けられると共に、これら上誘導樋ユニット５０及び下誘導樋ユニット６０を覆うようにして裏カバー体３５が開閉可能に装着されている（図１及び図２参照）。
【００１１】
前記遊技盤２０の裏面の周縁部には裏セット機構９が配設されている。
図２に示すように、裏セット機構９の主体部をなす裏セット板１０は、裏カバー体３５の周囲を取り囲むようにして枠状に構成されている。
そして、裏セット板１０は、その一側（図２に向かって右側）において裏セットヒンジ８によってベース枠４の一側に開閉可能に組み付けられている。
さらに、裏セット板１０は、その自由端側（図２に向かって左側）において複数の締め具７によってベース枠４に対し係脱可能に締め付けられている。
これによって裏セット板１０がベース枠４に対し、閉じ状態に保持されている。
なお、ベース枠４に嵌込まれた遊技盤２０は裏セット板１０に押し付けられて保持される。
図２に示すように、裏セット板１０には、球タンク１１、タンクレール１２、下部集合樋、賞品球排出装置、等が配設され、これによって裏セット機構９が構成されている。
また、裏カバー体３５の裏面には、周知のようにパチンコ制御の主要部をなす制御回路を有する制御基板が収納された収納ボックス４１が取り付けられている。
【００１２】
図４と図５に示すように、遊技盤２０の前面の遊技面には、その略中央部にセンター役物２１が装着され、このセンター役物２１の中央部には表示装置２２が装着されている。
また、遊技盤２０の遊技面には、センター役物２１の上部左右両側方に位置して左右の風車器２７がそれぞれ装着され、センター役物２１の下部寄りの左右両側方に位置して左右の一般入賞器２３が装着されている。
さらに、遊技盤２０の遊技面には、そのセンター役物２１の直下に位置して特定入賞器２５が装着され、その特定入賞器２５の下方に位置して大入賞口３０を備えたアタッカユニット２８が装着されている。
さらにまた、遊技盤２０の遊技面には、そのアタッカユニット２８の左右両側部に位置して装飾部材３１が装着され、これら装飾部材３１の所定位置には光が出射されるレンズ３２が設けられている。
【００１３】
図１に示すように、遊技盤２０の裏面の中央部には、上下２つに分割構成された上誘導樋ユニット５０と下誘導樋ユニット６０とが隣接してそれぞれ組み付けられている。
図６に示すように、上誘導樋ユニット５０は、センター役物２１の表示装置２２を取り囲むようにして枠状をなしかつ合成樹脂の射出成形等によって形成された誘導樋５１を主体として構成されている。
この誘導樋５１には、左右の一般入賞器２３の入賞口に入ったパチンコ球をそれぞれ遊技盤２０の裏面側において誘導案内するための左右の側部球誘導路５２がそれぞれ形成されている。
【００１４】
また、図６に示すように、側部球誘導路５２の所定位置には、パチンコ球を検出するための球検出器が組み付けられる組付孔６６が形成されている。
また、側部球誘導路５２に対し球検出器を組み付ける必要がないときに、誤って球検出器が取り付けられるを防止するために、組付孔６６の中央部には、球検出器の組み付けを阻止するための孔塞ぎ部６７が形成されている。
この孔塞ぎ部６７は必要に応じて容易に切除できるように、その孔塞ぎ部６７の両端が小さくされ切断部が形成されている。
【００１５】
また、誘導樋５１には、左右の風車器２７にそれぞれ対応する位置において基板取付部５３ａ、５３ｂがそれぞれ形成されている。
これら基板取付部５３ａ、５３ｂには、ビスと回止めピンによって回路基板５７ａ、５７ｂがそれぞれ取り付けられている。
これら回路基板５７ａ、５７ｂには左右の風車器２７に対し光りを出射するための複数（例えば、４つ）の発光ダイオード等よりなるランプが組み付けられている。
【００１６】
また、回路基板５７ａ、５７ｂには、ランプに対するランプ回路やコネクタプラグに対するレセプタクル５８ａ、５８ｂが配設されている。これらレセプタクル５８ａ、５８ｂには、接続線１１５ａ、１１５ｂの一方の端末部のコネクタプラグ１１７ａ、１１７ｂが差し込まれて接続される。なお、接続線１１５ａ、１１５ｂの他方の端末部のコネクタプラグ１１６ａ、１１６ｂは、中継基板１１０（又は１１１）のレセプタクル１１０ａ、１１０ｂに差し込まれて接続される。
【００１７】
また、誘導樋５１には、左右の一般入賞器２３にそれぞれ対応する位置において基板取付部５３ｃ、５３ｄがそれぞれ形成されている。
これら基板取付部５３ｃ、５３ｄには、ビスと回止めピンによって回路基板５７ｃ、５７ｄがそれぞれ形成されている。
これら基板取付部５３ｃ、５３ｄには左右の一般入賞器２３に対し光りを出射するためのランプが組み付けられている。
【００１８】
また、回路基板５７ｃ、５７ｄには、ランプに対するランプ回路やコネクタプラグに対するレセプタクル５８ｃ、５８ｄが配設されている。これらレセプタクル５８ｃ、５８ｄには、接続線１１５ｃ、１１５ｄの一方の端末部のコネクタプラグ１１７ｃ、１１７ｄが差し込まれて接続される。なお、接続線１１５ｃ、１１５ｄの他方の端末部のコネクタプラグ１１６ｃ、１１６ｄは、中継基板１１０（又は１１１）のレセプタクル１１０ｃ、１１０ｄに差し込まれて接続されている。前記したように、上誘導樋ユニット５０は、誘導樋５１と、その誘導樋５１に組み付けられる回路基板５７ａ〜５７ｄによって１つのユニットをなして構成されている。
【００１９】
図６、図７及び図８に示すように、前記上誘導樋ユニット５０の下方に隣接して配設された下誘導樋ユニット６０は、合成樹脂の射出成形等によって形成された誘導樋６１を主体として構成されている。
この誘導樋６１の左右両側部には、一般入賞器２４の入賞口に入ったパチンコ球及び前記側部球誘導路５２を流下するパチンコ球を誘導案内する側部球誘導路６２が形成されている。
この側部球誘導路６２はその上端開口部が上誘導樋ユニット５０の誘導樋５１の左右の側部球誘導路５２の下端開口部にそれぞれ連通するとともに、側部球誘導路６２の下端開口部は裏セット機構９の下部集合樋に連通している。
【００２０】
また、側部球誘導路６２の所定位置には、パチンコ球を検出するための球検出器が組み付けられる組付孔７６が形成されている。
また、側部球誘導路６２に対し球検出器を組み付ける必要がないときに、誤って球検出器が取り付けられるを防止するために、組付孔７６の中央部には、球検出器の組み付けを阻止するための孔塞ぎ部７７が形成されている。
この孔塞ぎ部７７は必要に応じて容易に切除できるように、その孔塞ぎ部７７の両端が小さくされ切断部が形成されている。
【００２１】
前記誘導樋６１には、その中央部に位置しかつ前記遊技盤２０の特定入賞器２５の入賞口に入ったパチンコ球Ｂをそれぞれ遊技盤２０の裏面側において誘導案内するための中央球誘導路６３が形成されている。
図１３と図１４に示すように、中央球誘導路６３は、遊技盤２０の裏面と協働してパチンコ球Ｂの案内通路を構成する底板部６３ａと後壁部６３ｂとを備えると共に、下部集合樋に連通する開口出口６３ｃを備えている。
中央球誘導路６３の底板部６３ａ上面は、図１３に向かって左側が高く右側が低い比較的緩やかな傾斜角度をもって傾斜面をなす傾斜通路をなしている。
その傾斜通路において、特定入賞器２５の入賞口の略直下に位置する部分はその傾斜角が所定角度だけ大きく設定されて、その部分に球留り防止部６５が形成されている。
【００２２】
図７、図８及び図９に示すように、前記下誘導樋ユニット６０の誘導樋６１には、その中央球誘導路６３の上部において、物品収納用として機能する空間部７０を区画構成するための底板部７１と、左右の両側壁部７２と、後壁部７３とがそれぞれ形成されている。
また、下誘導樋ユニット６０の誘導樋６１の裏面側の略中央部には、その側部球誘導路６２と中央球誘導路６３との後部側において複数の中継基板１１０又は１１１を装着するための複数の取付座部８０、９０がそれぞれ形成されている。
この実施の形態において、誘導樋６１の裏面側の略中央部には、大小異なる大きさの２つの中継基板１１０、１１１を択一的に装着するための第１の取付座部８０と、第２の取付座部９０とがそれぞれ後方に向けて突出された状態で形成されている。
【００２３】
図７、図８及び図９に示すように、第１の取付座部８０は、誘導樋６１の後部から後方に向けて一体に突出されかつ大の中継基板１１０に対応してその中継基板１１０の一側面の四周部を受け支える上下左右の支承縁８１ａ〜８１ｄと、これら上下左右の支承縁８１ａ〜８１ｄがなす角部に一体に形成されかつ大の中継基板１１０の４コーナ部が嵌込まれる嵌込コーナ部８２とを備えている。
また、図８に向かって左側上下の嵌込コーナ部８２の後端部には、大の中継基板１１０の左側上下のコーナ部を押える略三角形状の押え片８３が形成されている。
さらに、図８に向かって右側の支承縁８１ｄの上下方向の略中央部外側面には、大の中継基板１１０の他側を押えて締め付けるための締付ネジ８５がねじ込まれるボス部８４が形成されている。
そして、図１０と図１１に示すように、第１の取付座部８０に対しては大の中継基板１１０が位置決めされて装着されるようになっている。
【００２４】
第２の取付座部９０は、誘導樋６１の後部から後方に向けて一体に突出されかつ小の中継基板１１１に対応してその中継基板１１１の一側面四周部を受け支える上下左右の支承縁９１ａ〜９１ｄと、これら上下左右の支承縁９１ａ〜９１ｄがなす角部に一体に形成されかつ小の中継基板１１１の４コーナ部が嵌込まれる嵌込コーナ部９２とを備えている。
また、図８に向かって左側上下の嵌込コーナ部９２の後端部には、小の中継基板１１１の左側上下のコーナ部を押える略三角形状の押え片９３が形成されている。
さらに、図８に向かって右側の支承縁９１ｄの上下方向の略中央部外側面には、小の中継基板１１１の他側を押えて締め付けるための締付ネジがねじ込まれるボス部９４が形成されている。
そして、第２の取付座部９０に対しては小の中継基板１１１が位置決めされて装着されるようになっている。
【００２５】
また、この実施の形態において、図７と図８に示すように、第１の取付座部８０の内側の略中央部に第２の取付座部９０が配設されている。
さらに、図９に示すように、大の中継基板１１０の厚さ寸法よりも大きい高さ寸法の差をもって、第１の取付座部８０の支承縁８１ａ〜８１ｄよりも低い高さ位置において第２の取付座部９０の支承縁９１ａ〜９１ｄの高さが設定されている。
【００２６】
また、この実施の形態において、図７と図８に示すように、物品収納用として機能する空間部７０を区画構成している後壁部７３の上端部に対し第１の取付座部８０の上の支承縁８１ａの中央部が一体に形成されている。
さらに、後壁部７３の後面に対しては、第２の取付座部９０の上の支承縁９１ａを略全体をなす部分が形成されている。
また、図７と図８に示すように、空間部７０の後壁部７３の下端部から、その上端に形成された上の支承縁８１ａにわたって複数あるいは多数のスリット状の切込み溝７４が左右方向に所定の間隔で形成されている。
これら切込み溝７４の一部には切断が容易な所要数の切断用連結部７５が残されている。
そして、切断用連結部７５によって後壁部７３の強度が所要とする強度に保たれるとともに、切断用連結部７５が適宜に切断されることで、後壁部７３の任意の部分が取り除かれるようになっている。
【００２７】
図７と図８に示すように、前記下誘導樋ユニット６０の誘導樋６１には、その左右の側部球誘導路６２の両側から張り出す張出部１００が形成され、これら両張出部１００には、前後がそれぞれ開口されたランプ収納室１０２がそれぞれ形成されている。
図１５と図１６に示すように、前記ランプ収納室１０２の前端開口部は、遊技盤２０の所定位置に貫設された通し孔２０ａに向けて開口している。
なお、遊技盤２０前面の遊技面に装着された装飾部材３１のレンズ３２は、前記通し孔２０ａに対応する位置に配置される。
図７、図１５及び図１６に示すように、ランプ収納室１０２には、その前端開口部の内周縁に沿って受縁１０３が張り出され、後端開口部には複数（この実施の形態では２つ）の断面三角形状の係止爪１０４が形成されている。
【００２８】
また、ランプ収納室１０２には、反射鏡部材１０５が押し込まれて装着されている。
この反射鏡部材１０５は、その前端が受縁１０３に当接して支持され、後端が係止爪１０４に係止されて抜け止めされている。
さらに、反射鏡部材１０５には、次に述べる回路基板５７ｅ又は回路基板５７ｆに配設の複数のランプ５９に対応する差込孔が貫設され、同反射鏡部材１０５の前面にはランプ５９から発せられる光を装飾部材３１のレンズ３２に向けて反射する反射面１０７が形成されている。
なお、反射鏡部材１０５が合成樹脂より形成される場合、その反射鏡部材１０５の反射面１０７は、アルミの真空蒸着等によって容易に形成される。
また、反射鏡部材１０５は金属板のプレス加工等によって形成することもできる。
【００２９】
前記したように誘導樋６１の左右の両張出部１００にそれぞれ形成されたランプ収納室１０２の後端開口部の近傍には回路基板５７ｅ、５７ｆに対応する基板取付部１０３ｅ、１０３ｆがそれぞれ形成されている。
これら基板取付部１０３ｅ、１０３ｆには、ビスと回止めピンによって回路基板５７ｅ、５７ｆがそれぞれ取り付けられている。
前記回路基板５７ｅ、５７ｆは、装飾部材３１のレンズ３２に対応する複数（図では３つ）のランプ５９が組み付けられている。
【００３０】
また、回路基板５７ｅ、５７ｆには、ランプ５９に対するランプ回路やコネクタプラグに対するレセプタクル５８ｅ、５８ｆが配設されている。これらレセプタクル５８ｅ、５８ｆには、接続線１１５ｅ、１１５ｆの一方の端末部のコネクタプラグ１１７ｅ、１１７ｆが差し込まれて接続される。なお、接続線１１５ｅ、１１５ｆの他方の端末部のコネクタプラグ１１６ｅ、１１６ｆは、中継基板１１０（又は１１１）のレセプタクル１１０ｅ、１１０ｆに差し込まれて接続されている。前記したように、下誘導樋ユニット６０は、誘導樋６１と、その誘導樋６１の各ランプ収納室１０２に組み付けられた反射鏡部材１０５と、回路基板５７ｅ、５７ｆによって１つのユニットをなして構成されている。
【００３１】
図６に示すように、前記中継基板１１０（又は１１１）の複数のレセプタクル１１０ａ〜１１０ｆは、黄、黒、青、赤、茶、緑の各色に色分けさせて識別がなされている。これに対し、接続線１１５ａ〜１１５ｆの各両端末部のコネクタプラグ１１６ａ〜１１６ｆ及び１１７ａ〜１１７ｆにおいても黄、黒、青、赤、茶、緑の各色に色分けさせて識別がなされている。そして、中継基板１１０（又は１１１）の複数のレセプタクル１１０ａ〜１１０ｆの色と、接続線１１５ａ〜１１５ｆの一方の端末部のコネクタプラグ１１６ａ〜１１６ｆの色とがそれぞれ一致するように、中継基板１１０（又は１１１）の複数のレセプタクル１１０ａ〜１１０ｆに対し、接続線１１５ａ〜１１５ｆの一方の端末部のコネクタプラグ１１６ａ〜１１６ｆがそれぞれ差し込まれて接続されるようになっている。
【００３２】
一方、上誘導樋ユニット５０及び下誘導樋ユニット６０の各誘導樋５１、６１の基板取付部５３ａ〜５３ｄ、１１３ｅ、１１３ｆにそれぞれ装着された複数の回路基板５７ａ〜５７ｆに設けられたレセプタクル５８ａ〜５８ｆは色分け等によって識別されることなく形成されている。特定位置、すなわち、中継基板１１０（又は１１１）から延出された接続線１１５ａ〜１１５ｆの延出側のコネクタプラグ１１７ａ〜１１７ｆは、前記したように色分けによって識別がなされている。これらコネクタプラグ１１７ａ〜１１７ｆが前記複数の回路基板５７ａ〜５７ｆのレセプタクル５８ａ〜５８ｆに誤って接続されることがないように、複数の回路基板５７ａ〜５７ｆの近傍には、識別されたコネクタプラグ１１７ａ〜１１７ｆにそれぞれ対応する識別表示部がそれぞれ配設されている。
【００３３】
この実施の形態において、図６に示すように、上誘導樋ユニット５０及び下誘導樋ユニット６０の各誘導樋５１、６１の基板取付部５３ａ〜５３ｄ、１１３ｅ、１１３ｆの近傍に対し、識別表示部５５ａ〜５５ｆがそれぞれ配設されている。
前記識別表示部５５ａ〜５５ｆは、黄、黒、青、赤、茶、緑の漢字よって表示されている。
さらに、識別表示部５５ａ〜５５ｆは、黄、黒、青、赤、茶、緑が識別できる程度に各誘導樋５１、６１の表面に漢字の凹凸がそれぞれ施されることで、形成されている。
上誘導樋ユニット５０及び下誘導樋ユニット６０の各誘導樋５１、６１が合成樹脂の射出成形によってそれぞれ成形される際、これら誘導樋５１、６１に対応する成形型の成形面には、あらかじめ、識別表示部５５ａ〜５５ｆに対応する成形部がそれぞれ形成される。
これによって、誘導樋５１、６１が射出成形されると同時に、その各基板取付部５３ａ〜５３ｄ、１１３ｅ、１１３ｆの近傍には、黄、黒、青、赤、茶、緑の漢字の凹凸によって識別表示部５５ａ〜５５ｆが表示される。
なお、前記誘導樋５１、６１の成形と同時に凹凸によって識別表示部５５ａ〜５５ｆが設けられる他、誘導樋５１、６１の成形後、熱処理、薬品処理等によって凹凸の刻印を施して識別表示部５５ａ〜５５ｆを形成することもできる。
【００３４】
この実施の形態に係るパチンコ機１は上述したように構成される。したがって、中継基板１１０（又は１１１）から延出された複数の接続線１１５ａ〜１１５ｆの各コネクタプラグ１１７ａ〜１１７ｆを、各誘導樋５１、６１に装着の複数の回路基板５７ａ〜５７ｆの各レセプタクル５８ａ〜５８ｆに差し込んで接続する際、各コネクタプラグ１１７ａ〜１１７ｆの色分けによる黄、黒、青、赤、茶、緑の色と、各誘導樋５１、６１の各基板取付部５３ａ〜５３ｄ、１１３ｅ、１１３ｆの近傍の識別表示部５５ａ〜５５ｆに表示された黄、黒、青、赤、茶、緑の漢字の表示とを一致させて各コネクタプラグ１１７ａ〜１１７ｆを各レセプタクル５８ａ〜５８ｆに差し込ん接続する。これによって、各コネクタプラグ１１７ａ〜１１７ｆを各レセプタクル５８ａ〜５８ｆに誤りなく容易にかつ正確に接続することができる。
【００３５】
このため、複数の回路基板５７ａ〜５７ｆのレセプタクル５８ａ〜５８ｆは色分け等の識別手段によって識別する必要性を解消することができる。この結果、形状、仕様等が全く同一である回路基板を共通の部品として製作・管理することができる。例えば、回路基板５７ａと５７ｂ、回路基板５７ｃと５７ｄを共通の部品として製作・管理することができる。これによって、回路基板の製作費や在庫管理に要するコストを低減することができる。また、図６に示すように、上誘導樋ユニット５０の誘導樋５１の基板取付部５３ａ、５３ｂに装着される回路基板５７ａ、５７ｂにおいて、その片側（図６に向かって左側）が共に略半円形に形成され、その回路基板５７ａの方向性が明確となる。このため、誘導樋５１の基板取付部５３ａ、５３ｂに対し回路基板５７ａの左右の向きを誤ることなく容易にかつ正確に装着することができる。また、図２５の（ａ）と（ｂ）に示すように、矩形の回路基板５７ａ（５７ｂ）の片側に隅部を１／４円弧、傾斜面等の形状に適宜に切り欠いて、回路基板５７ａ（５７ｂ）の方向性をもたせることもできる。また、図２５の（ｃ）に示すように、略円形の回路基板５７ａ、５７ｂの片側を直線状に切除して回路基板５７ａ、５７ｂの方向性をもたせることもできる。
【００３６】
また、各誘導樋５１、６１は、遊技盤２０裏面の比較的広範囲にわたって装着される。
このため、各誘導樋５１、６１の各基板取付部５３ａ〜５３ｄ、１１３ｅ、１１３ｆの近傍に対し、各識別表示部５５ａ〜５５ｆを表示するために必要な面積を容易に確保することができる。
さらに、各基板取付部５３ａ〜５３ｄ、１１３ｅ、１１３ｆの近傍に視認しやすい大きさの識別表示部５５ａ〜５５ｆを配置することもでき、識別表示部５５ａ〜５５ｆの視認の誤りを防止することができる。
【００３７】
また、各誘導樋５１、６１が射出成形されると同時に、その各基板取付部５３ａ〜５３ｄ、１１３ｅ、１１３ｆの近傍には、黄、黒、青、赤、茶、緑の漢字の凹凸によって識別表示部５５ａ〜５５ｆが表示される。
このため、各誘導樋５１、６１を成形した後、これら各誘導樋５１、６１の各基板取付部５３ａ〜５３ｄ、１１３ｅ、１１３ｆの近傍に対し識別表示部５５ａ〜５５ｆに表示する手間を省くことができるばかりでなく、各基板取付部５３ａ〜５３ｄ、１１３ｅ、１１３ｆの近傍に対し識別表示部５５ａ〜５５ｆを誤って表示する不具合も解消される。
また、識別表示部５５ａ〜５５ｆは、誘導樋５１、６１の表面の凹凸によって表示されているため、識別表示部５５ａ〜５５ｆが剥がれる不具合も防止され、耐久性に優れる。
【００３８】
なお、識別表示部５５ａ〜５５ｆは、漢字、ひらがな、カタカナ等の文字による表示の他、色を表す番号、記号等によって表示してもよい。
また、識別表示部５５ａ〜５５ｆは、凹凸による表示の他、テープ、印刷シール等を貼り付けて表示してもよく、塗装、着色等によって表示してもよい。
さらに、テープ、印刷シール、塗装、着色等の色分けによって表示するようにしてもよい。
【００３９】
また、この実施の形態に係るパチンコ機１において、図６に示すように、上誘導樋ユニット５０の誘導樋５１には一般入賞器２３の入賞口に入ったパチンコ球を誘導案内する側部球誘導路５２が形成され、その側部球誘導路５２の所定位置には、パチンコ球を検出するための球検出器が組み付けられる組付孔６６が形成されている。
また、下誘導樋ユニット６０の誘導樋６１には、一般入賞器２４の入賞口に入ったパチンコ球及び前記側部球誘導路５２を流下するパチンコ球を誘導案内する側部球誘導路６２が形成され、その側部球誘導路６２の所定位置には、パチンコ球を検出するための球検出器が組み付けられる組付孔７６が形成されている。
これら、各組付孔６６、６７の中央部には、球検出器の組み付けを阻止するための孔塞ぎ部６７、７７がそれぞれ形成され、これら孔塞ぎ部６７、７７は必要に応じて容易に切除できるように、その各孔塞ぎ部６７、７７の両端に切断部が形成されている。
【００４０】
すなわち、上下の一般入賞器２３と２４とにおいて、これら入賞口に対しパチンコ球が入った際、そのパチンコ球の入賞に基づく賞球払い出し個数が同数の場合には、上誘導樋ユニット５０の側部球誘導路５２には球検出器を組み付ける必要がない。
このため、側部球誘導路５２の組付孔６６は、孔塞ぎ部６７によって塞がれ球検出器の組み付けを阻止している。
これによって、側部球誘導路５２の組付孔６６に対し球検出器が誤って組み付けられる不具合が防止されている。
また、上下の一般入賞器２３と２４とにおいて、これら入賞口に対しパチンコ球が入った際、そのパチンコ球の入賞に基づく賞球払い出し個数が異なる場合には、上誘導樋ユニット５０と下誘導樋ユニット６０との各側部球誘導路５２、６２に対しそれぞれ球検出器を組み付ける必要がある。
この場合には、上誘導樋ユニット５０と下誘導樋ユニット６０との各側部球誘導路５２、６２の各組付孔６６、７６の中央部の孔塞ぎ部６７、７７がその各両端の切断部において切断され孔塞ぎ部６７、７７が除去される。
これによって各組付孔６６、７６が開口され、これら各組付孔６６、６７に球検出器がそれぞれ確実に組み付けられる。
【００４１】
また、この実施の形態に係るパチンコ機１において、誘導樋６１裏面側の第１、第２の取付座部８０、９０に対し、大小異なる大きさの２つの中継基板１１０、１１１を択一的に装着する場合、例えば、所要形式のパチンコ機１に対応する電機部品、電子部品、電気回路等を備えた大の中継基板１１０のみを装着する場合、図９、図１０及び図１１に示すように、大の中継基板１１０は斜めの状態で、同中継基板１１０の一側の両コーナ部が第１の取付座部８０の両嵌込コーナ部８２に差し込まれ、押え片８３によって押えられる。
その後、前記大の中継基板１１０の一側面が上下左右の支承縁８１ａ〜８１ｄに当接する位置まで回動された状態で、支承縁８１ｄのボス部８４に締付ネジ８５がねじ込まれることで、第１の取付座部８０に対し大の中継基板１１０が位置決めされた状態で容易にかつ正確に装着される。
【００４２】
また、前記とは形式が異なるパチンコ機に対し、そのパチンコ機に対応する電機部品、電子部品、電気回路等を備えた小の中継基板１１１のみを装着する場合、前記大の中継基板１１０の装着操作と略同様にして、小の中継基板１１１は、斜めの状態で、その中継基板１１１の一側の両コーナ部が第２の取付座部９０の両嵌込コーナ部９２に差し込まれ、押え片９３によって押えられる。
その後、中継基板１１１の一側面が上下左右の支承縁９１ａ〜９１ｄに当接する位置まで回動された状態で、支承縁９１ｄのボス部に締付ネジがねじ込まれることで、第２の取付座部９０に対し小の中継基板１１１が位置決めされた状態で容易にかつ正確に装着される。
【００４３】
また、図７に示すように、第１の取付座部８０の内側の略中央部に第２の取付座部９０の全てが配設されている。
このため、第１、第２の両取付座部８０、９０の配設スペースを最小限に小さくすることができ、誘導樋６１の裏面の限られた面積内において、第１、第２の両取付座部８０、９０を容易に形成することができる。
さらに、図９に示すように、第１の取付座部８０の内側の略中央部に第２の取付座部９０が配設されるとともに、大の中継基板１１０の厚さ寸法よりも大きい高さ寸法の差をもって、第１の取付座部８０の支承縁８１ａ〜８１ｄよりも低い高さ位置において第２の取付座部９０の支承縁９１ａ〜９１ｄの高さが設定されている。
【００４４】
これによって、第１の取付座部８０に対して大の中継基板１１０を装着する際、第２の取付座部９０に干渉することなく大の中継基板１１０を容易に装着することができる。
また、第２の取付座部９０に対し小の中継基板１１１を装着する際にも、第１の取付座部８０に干渉することなく小の中継基板１１１を容易に装着することができる。
さらに、第１の取付座部８０に対しては大の中継基板１１０を、第２の取付座部９０に対しては小の中継基板１１１を、それぞれ干渉することなく前後２段にしてそれぞれ個別にかつ同時に装着することもできる。
【００４５】
前記したように、１つの誘導樋６１に対し第１、第２の取付座部８０、９０を形成し、大きさ、形状等が異なる複数の中継基板１１０、１１１を択一的またはそれぞれ個別に取付可能とすることで、多種多様のパチンコ機に対しそれぞれ対応する中継基板に対する取付台座を有する多種多様の誘導樋を製作する必要性を解消することができる。
この結果、誘導樋の種類を軽減して、誘導樋の製作費や在庫管理費等の削減を図ることができる。
【００４６】
図２４の（ａ）〜（ｄ）に示すように、第１の取付座部８０と第２の取付座部９０と相互に重なり合う部分をもって配設することで、これら第１、第２の取付座部８０、９０が相互に重なり合った分だけ、配設スペースを小さくすることができ、誘導樋６１の裏面側の限られたスペース内において、第１、第２の取付座部８０、９０を容易に形成することができる。
また、図２４の（ａ）〜（ｄ）に配設された第１、第２の取付座部８０、９０において、誘導樋６１の裏面側に対する第１、第２の取付座部８０、９０の高さを略同じ高さに形成してもよく、中継基板１１０（又は１１１）の厚さ寸法よりも大きい高さ寸法の差をもってそれぞれ形成してもよい。
また、図２４の（ａ）〜（ｄ）に配設された第１、第２の取付座部８０、９０において、大小異なる大きさに形成してもよく、同一の大きさに形成してもよい。
但し、第１、第２の取付座部８０、９０が同一の大きさに形成される場合、中継基板の取付態様を少なくとも２態様とするために、第１、第２の取付座部８０、９０が所定の高さ寸法の差をもってそれぞれ形成される必要がある。
【００４７】
また、この実施の形態において、図７、図８及び図９に示すように、下誘導樋ユニット６０の誘導樋６１には物品収納用として機能する空間部７０が区画形成され、その区画壁をなす後壁部７３は、複数あるいは多数のスリット状の切込み溝７４と切断用連結部７５によってその所望とする部分が切除可能となっている。
このため、物品収納用として機能する空間部７０に対し、例えば、アタッカユニット２８、センター役物２１等に対するモータ・ソレノイド等のアクチュエータ１０８を収納して組み込む際、そのアクチュエータ１０８が所定よりも大きい場合、図１２に示すように、前記空間部７０を区画構成している後壁部７３の所要とする切断用連結部７５が切断されて後壁部７３の所要部分が取り除かれることで、所定よりも大きいアクチュエータ１０８を容易に組み込むことができる。
さらに、後壁部７３の所要部分のみが取り除かれることで、中央球誘導路６３に入ったパチンコ球Ｂが後壁部７３の切除部分から落下する不具合も生じない。
なお、この場合、図１２に示すように、中継基板１１０には、アクチュエータ１０８に対応する部分には切込部１１３が切欠状に形成される。
【００４８】
また、この実施の形態において、図１３と図１４に示すように、下誘導樋ユニット６０の誘導樋６１に形成された中央球誘導路６３において、その中央球誘導路６３の底板部６３ａ上面は、図１３に向かって左側が高く右側が低い比較的緩やかな傾斜角度をもって傾斜面をなす傾斜通路をなしている。
その傾斜通路において、特定入賞器２５の入賞口の略直下に位置する部分はその傾斜角が所定角度だけ大きく設定されて、その部分に球留り防止部６５が形成されている。
このため、特定入賞器２５の入賞口には入ったパチンコ球Ｂは、傾斜通路の球留り防止部６５によって確実に案内されて傾斜面の下傾側に流れ、その中央球誘導路６３の開口出口６３ｃを通して下部集合樋に流れる。
【００４９】
すなわち、傾斜通路において、特定入賞器２５の入賞口の略直下に位置する部分に球留り防止部６５が形成されていない場合、短時間の間に特定入賞器２５の入賞口に連続してパチンコ球Ｂが入り、そのパチンコ球Ｂが傾斜通路に距離をあけずに流下すると、これらパチンコ球Ｂの間で球噛みが発生してパチンコ球Ｂの流れが止められる場合がある。
これに対し、特定入賞器２５の入賞口の略直下に位置する部分に球留り防止部６５が形成されることで、前記球噛みが発生するという不具合が解消される。
【００５０】
また、この実施の形態において、図１５と図１６に示すように、下誘導樋ユニット６０の誘導樋６１の両側から張り出す張出部１００に形成されたランプ収納室１０２には、反射鏡部材１０５が装着されている。
そして、この反射鏡部材１０５には、回路基板５７ｅ又は回路基板５７ｆの複数のランプ５９から放射状に発せられる光を装飾部材３１のレンズ３２に向けて反射する反射面１０７が形成されている。
このため、前記ランプ５９の光のほとんどが装飾部材３１のレンズ３２を通して出射され、これによってレンズ３２が効率良く照らし出され装飾性が向上される。
さらに、ランプ収納室１０２に対し、反射鏡部材１０５を所要とする押し込み力において押し込むことで、その反射鏡部材１０５の前端がランプ収納室１０２の受縁１０３に当接して支持され、後端がランプ収納室１０２の係止爪１０４に係止される。
これによって、ランプ収納室１０２に対し反射鏡部材１０５が容易に装着される。
【００５１】
また、下誘導樋ユニット６０の誘導樋６１のランプ収納室１０２の後端開口部の近傍に形成された基板取付部１０３ｅ、１０３ｆに対しビスと回止めピンによって回路基板５７ｅ、５７ｆが容易にかつ着脱可能に取り付けられる。
このため、回路基板５７ｅ、５７ｆのランプ交換が容易となる。
さらに、下誘導樋ユニット６０は、誘導樋６１と、その誘導樋５１の各ランプ収納室１０２に組み付けられた反射鏡部材１０５と、所要数のランプ５９を備えた回路基板５７ｅ、５７ｆによって１つのユニットをなして構成されている。
このため、遊技盤２０裏面側に対し、誘導樋６１、反射鏡部材１０５、回路基板５７ｅ、５７ｆをそれぞれ個別に装着する煩わしさや個別に在庫管理する必要性が解消され、遊技盤２０の裏面に対する組付作業や在庫管理が容易となる。
【００５２】
また、この実施の形態において、図２、図３及び図１７に示すように、遊技盤２０の裏面側に対し裏カバー体３５は、その一側（例えば図１７に向かって左側）において薄肉状の開閉ヒンジ３７や蝶番等の開閉手段によって開閉可能に装着され、その裏カバー体３５の自由端側（図１７に向かって右側）には、カバーフック１２０に係脱可能に係合する切り欠き状の係合部３８が形成されている。
一方、図１７と図１８に示すように、上誘導樋ユニット５０の誘導樋５１の裏面の図に向かって右側寄りには、カバーフック１２０に対する取付部１３０と、回止めピン１４０とがそれぞれ一体に突設されている。
【００５３】
カバーフック１２０は、基板部１２１とその基板部１２１から後方に向けて直角状に突設された脚部１２５とを一体に備えている。
基板部１２１には、誘導樋５１の取付部１３０の外周に嵌込まれる有蓋筒状の嵌合部１２２と、誘導樋５１の回止めピン１４０が嵌挿される嵌合孔１２３とがそれぞれ形成されている。
そして、カバーフック１２０は、嵌合部１２２と取付部１３０及び嵌合孔１２３と回止めピン１４０との嵌合作用によって回り止め及び位置決めされている。
さらに、嵌合部１２２から取付部１３０に向けてビス１５０がねじ込まれることで、誘導樋５１の所定位置にカバーフック１２０が正確に取り付けられるようになっている。
【００５４】
また、カバーフック１２０の脚部１２５は、裏カバー体３５の係合部３８に係脱する方向に弾性変形可能な平板状に形成され、その先端部には裏カバー体３５の係合部３８に係合する閉止部１２６が形成されている。
この閉止部１２６は裏カバー体３５の閉じ動作に基づいて、その裏カバー体３５の自由端部に当接しながら脚部１２５を撓ませる傾斜状の案内面１２７と、裏カバー体３５が閉じ位置まで閉じられたときに脚部１２５の弾発力によって裏カバー体３５の係合部３８に係合する閉止面１２８とを備えて略三角形状に形成されている。
【００５５】
前記したように誘導樋５１に対しカバーフック１２０が極めて容易にかつ正確に位置決めして取り付けることができる。
すなわち、従来では、遊技盤２０の裏面の所定位置に対しカバーフックが位置決めされた状態で保持され、そのカバーフックが複数のタッカ針やビス等によって取り付けられていた。
このため、遊技盤２０の裏面に対するカバーフックの取り付けに多くの手間や時間が必要であり、ときには、カバーフックが位置ずれして取り付けられる不具合が発生していた。
【００５６】
前記上誘導樋ユニット５０の誘導樋５１に対するカバーフック１２０の取付部の構造を図１９〜図２３に示すようにそれぞれ変更することもできる。
すなわち、カバーフック１２０の取付部構造の変更例１を示す図１９において、誘導樋５１の裏面の所定位置には外周面に突起１３１を有する圧入用取付部１３０が突出されている。
これに対し、カバーフック１２０の基板部１２１には圧入用取付部１３０に対する筒状の嵌合部１２２が形成されている。
そして、圧入用取付部１３０に嵌合部１２２が圧入されることで、誘導樋５１に対しカバーフック１２０が取り付けられるようになっている。
但し、この場合においても、誘導樋５１とカバーフック１２０との間には、カバーフック１２０を回止めするための回止め手段を配設することが望ましい。
回止め手段としては、ピンと嵌合孔によって構成することもできるし、カバーフック１２０の基板部１２１の外周面の一部に当接するように、誘導樋５１に所定位置に当接部を突設して構成することもできる。
【００５７】
カバーフック１２０の取付部構造の変更例２を示す図２０と図２１において、誘導樋５１の裏面の所定位置には熱カシメ用取付部１３２が突出されている。
これに対し、カバーフック１２０の基板部１２１には熱カシメ用取付部１３２に対する両端開口筒状の嵌合部１２２が形成されている。
そして、熱カシメ用取付部１３２に嵌合部１２２が挿入された後、熱カシメ用取付部１３２の先端部が熱カシメ治具によってカシメられることで、誘導樋５１に対しカバーフック１２０が取り付けられるようになっている。
但し、この場合においても、誘導樋５１とカバーフック１２０との間には、カバーフック１２０を回止めするための回止め手段を配設することが望ましい。
【００５８】
カバーフック１２０の取付部構造の変更例３を示す図２２において、誘導樋５１の裏面の所定位置には接着用取付部１３３が突出されている。
これに対し、カバーフック１２０の基板部１２１には接着用取付部１３３に対する筒状の嵌合部１２２が形成されている。
そして、接着用取付部１３３の外周面と嵌合部１２２とのうちの少なくとも一方に接着剤が塗布された後、接着用取付部１３３に嵌合部１２２が挿入されて接着されることで、誘導樋５１に対しカバーフック１２０が取り付けられるようになっている。
但し、この場合においては、接着用取付部１３３と嵌合部１２２とが接着されることで、誘導樋５１に対しカバーフック１２０が回り止めされるため、誘導樋５１とカバーフック１２０との間には、カバーフック１２０を回止めするための回止め手段は配設しなくてもよい。
【００５９】
カバーフック１２０の取付部構造の変更例４を示す図２３において、誘導樋５１の裏面の所定位置には外周に雄ネジが形成された取付部１３４が突出されている。
これに対し、カバーフック１２０の基板部１２１には取付部１３４に螺合する雌ネジを内周面に有する筒状の嵌合部１２２が形成されている。
そして、取付部１３４に対し嵌合部１２２が締め付け方向にカバーフック１２０が回転されて締め付けられることで、誘導樋５１に対しカバーフック１２０が取り付けられるようになっている。
但し、この場合においても、誘導樋５１とカバーフック１２０との間には、カバーフック１２０を回止めするための回止め手段を配設することが望ましい。
【００６０】
また、図２６〜図２８に示すものは他の実施の形態を示すもので、遊技盤２０の裏面側に、前記実施の形態でも説明したように、開閉ヒンジ３７によって裏カバー体３５が開閉可能に装着されている。
この裏カバー体３５は、前記したように、上誘導樋ユニット５０の誘導樋５１に固定のカバーフック２０によって閉じ状態に保持されている。
裏カバー体３５の裏面には左右一対のブラケット２５０が取り付けられ、これらブラケット２５０には収納ボックス４１がその上端部寄りの左右両側面において支軸２５１と長孔２５２によって反転可能に装着されている。
【００６１】
収納ボックス４１は、内部に制御基板４０が収納されたボックス本体４２と、そのボックス本体４２の開口部を覆蓋するカバー体４５とを備えている。
そして、収納ボックス４１は、そのボックス本体４２が裏カバー体３５の裏面に沿って設置される設置位置と、その設置位置から上方に略１８０度回動された反転位置とに支軸２５１と長孔２５２によって配置切換されるようになっている。
また、ボックス本体４２の下端縁には張出部４３が延出されている。
そしてボックス本体４２の張出部４３には、裏カバー体３５を通してビス２６１がねじ込まれることで、裏カバー体３５の裏面に沿う設置位置に収納ボックス４１が配置されて保持されるようになっている。
【００６２】
また、制御基板４０のレセプタクル３９は、ボックス本体４２の底面に突出して設けられている。すなわち、裏カバー体３５の内部において、下誘導樋ユニット６０の誘導樋６１の裏面の第１の取付座部又は第２の取付座部に装着された中継基板に対し、収納ボックス４１の制御基板４０を電気的に接続する場合、まず、遊技盤２０の裏面側に対し裏カバー体３５が開閉ヒンジ３７を中心として開かれる。この状態のもとで、図２８に示すように、裏カバー体３５に対し収納ボックス４１が反転位置に配置される。そして、裏カバー体３５内部の中継基板から延出された接続線３１５の端末部のコネクタプラグ３１６が前記制御基板４０のレセプタクル３９に差し込まれることで、制御基板４０と中継基板とが電気的に接続される。その後、図２７に示すように、裏カバー体３５に対し収納ボックス４１が設置位置に配置され、裏カバー体３５側からビス２６１がボックス本体４２の張出部４３にねじ込まれる。これによって裏カバー体３５に対し収納ボックス４１が設置位置に配置保持される。最後に、遊技盤２０に対し裏カバー体３５が閉じられカバーフック２０によって閉じ状態に保たれる。
【００６３】
一般には、裏カバー体３５に対し固定状態で収納ボックス４１が取り付けられ、その収納ボックス４１内の制御基板４０のレセプタクル３９はカバー体４５の外部に露出して設けられる。このため、制御基板４０のレセプタクル３９に対し、中継基板から延出された接続線３１５の端末部のコネクタプラグ３１６が不測に外され、そのレセプタクル３９に対し不正基板等が接続されるという不正行為が比較的容易に行われる不具合があった。しかしながら、図２６〜図２８に示す実施の形態においては、制御基板４０のレセプタクル３９が、ボックス本体４２の底面に突出して設けられ、裏カバー体３５内部の中継基板から延出された接続線３１５の端末部のコネクタプラグ３１６がレセプタクル３９に差し込まれて、制御基板４０と中継基板とが電気的に接続される構成にしてある。したがって、制御基板４０のレセプタクル３９に対し、中継基板から延出された接続線３１５の端末部のコネクタプラグ３１６が不測に外され、そのレセプタクル３９に対し不正基板等が接続されるという不正行為が確実に防止される。
【符号の説明】
【００６４】
１  パチンコ機
２０  遊技盤
５０  上誘導樋ユニット
５１  誘導樋
５２  球誘導路
５３ａ〜５３ｂ  基板取付部
５５ａ〜５５ｆ  識別表示部
５７ａ〜５７ｆ  回路基板
５８ａ〜５８ｆ  レセプタブル
６０  下誘導樋ユニット
６１  誘導樋
６２  側部球誘導路
１０３ｅ、１０３ｆ  基板取付部
１１０  中継基板
１１０ａ〜１１０ｆ  レセプタブル
１１５  接続線
１１６、１１７  コネクタプラグ
【図１】
0004725917.tif 000002
【図２】
0004725917.tif 000003
【図３】
0004725917.tif 000004
【図４】
0004725917.tif 000005
【図５】
0004725917.tif 000006
【図６】
0004725917.tif 000007
【図７】
0004725917.tif 000008
【図８】
0004725917.tif 000009
【図９】
0004725917.tif 000010
【図１０】
0004725917.tif 000011
【図１１】
0004725917.tif 000012
【図１２】
0004725917.tif 000013
【図１３】
0004725917.tif 000014
【図１４】
0004725917.tif 000015
【図１５】
0004725917.tif 000016
【図１６】
0004725917.tif 000017
【図１７】
0004725917.tif 000018
【図１８】
0004725917.tif 000019
【図１９】
0004725917.tif 000020
【図２０】
0004725917.tif 000021
【図２１】
0004725917.tif 000022
【図２２】
0004725917.tif 000023
【図２３】
0004725917.tif 000024
【図２４】
0004725917.tif 000025
【図２５】
0004725917.tif 000026
【図２６】
0004725917.tif 000027
【図２７】
0004725917.tif 000028
【図２８】
0004725917.tif 000029